(57)【要約】【課題】  複数の処理対象データの中から少なくとも１つの処理対象データを容易に選択することができ、娯楽性を高めることができる。【解決手段】  第１処理対象データに関する第１付加情報を取得する第１付加情報取得部１５と、第１処理対象データに関連して処理が行なわれる第２処理対象データに関する第２付加情報を取得する第２付加情報取得部１６と、第１付加情報および第２付加情報と、予め設定された選択条件３０１とに基づいて、複数の第２処理対象データの中から少なくとも１つの第２処理対象データを選択する選択部１３とをそなえる。【選択図】        図１
2006134146.tif 000002
【特許請求の範囲】
【請求項１】
第１処理対象データに関する第１付加情報を取得する第１付加情報取得部と、
該第１処理対象データに関連して処理が行なわれる第２処理対象データに関する第２付加情報を取得する第２付加情報取得部と、
該第１付加情報および該第２付加情報と、予め設定された選択条件とに基づいて、前記複数の第２処理対象データの中から少なくとも１つの該第２処理対象データを選択する選択部とをそなえることを特徴とする、データ処理装置。
【請求項２】
該選択部が、
該第１付加情報に基づいて該選択条件を参照することにより、前記複数の第２処理対象データの中から、該選択条件を満たす２以上の該第２処理対象データを選択する第１選択部と、
該第１選択部によって選択された前記２以上の第２処理対象データの中から、１の該第２処理対象データを選択する第２選択部とをそなえることを特徴とする、請求項１記載のデータ処理装置。
【請求項３】
該選択条件を設定可能な選択条件設定部をそなえることを特徴とする、請求項１又は請求項２記載のデータ処理装置。
【請求項４】
該第１付加情報が該第１処理対象データに関する日時情報であるとともに第２付加情報が該第２処理対象データに関する日時情報であり、
該選択条件が、該第１付加情報と該第２付加情報との間において、少なくとも日時，月，季節のいずれかに関して特定の関連性を有することであることを特徴とする、請求項１〜請求項３のいずれか１項に記載のデータ処理装置。
【請求項５】
該第２処理対象データが音楽データであることを特徴とする、請求項１〜請求項４のいずれか１項に記載のデータ処理装置。
【請求項６】
該第１処理対象データが画像データであることを特徴とする、請求項１〜請求項５のいずれか１項に記載のデータ処理装置。
【請求項７】
該第１付加情報が該第１処理対象データに関する地域情報であるとともに第２付加情報が該第２処理対象データに関する地域情報であり、
該選択条件が、該第１付加情報と該第２付加情報との間において、地域に関して特定の関連性を有することであることを特徴とする、請求項１〜請求項６のいずれか１項に記載のデータ処理装置。
【請求項８】
第１処理対象データに関する第１付加情報を取得する付加情報取得部と、
該第１処理対象データに関連して処理が行なわれる第２処理対象データを複数格納する第２処理対象データ格納部と、
該第２処理対象データに関する第２付加情報を取得する第２付加情報取得部と、
該第２処理対象データ格納部に格納された前記複数の第２処理対象データの中から、少なくとも１つの該第２処理対象データを選択するための選択条件を格納する選択条件格納部と、
該第１付加情報および該第２付加情報と、予め設定された選択条件とに基づいて、前記複数の第２処理対象データの中から少なくとも１つの該第２処理対象データを選択する選択部とをそなえることを特徴とする、情報処理システム。
【請求項９】
第１処理対象データに関連して処理が行なわれる複数の第２処理対象データの中から、少なくとも１つの該第２処理対象データを選択する選択機能をコンピュータに実行させるための選択プログラムであって、
該第１処理対象データに関する第１付加情報を取得する第１付加情報取得部と、
該第２処理対象データに関する第２付加情報を取得する第２付加情報取得部と、
該第１付加情報および該第２付加情報と、予め設定された選択条件とに基づいて、前記複数の第２処理対象データの中から少なくとも１つの該第２処理対象データを選択する選択部として、該コンピュータを機能させることを特徴とする、選択プログラム。
【請求項１０】
第１処理対象データに関連して処理が行なわれる複数の第２処理対象データの中から、少なくとも１つの該第２処理対象データを選択する選択機能をコンピュータに実行させるための選択プログラムを記録したコンピュータ読取可能な記録媒体であって、
該選択プログラムが、
該第１処理対象データに関する第１付加情報を取得する第１付加情報取得部と、
該第２処理対象データに関する第２付加情報を取得する第２付加情報取得部と、
該第１付加情報および該第２付加情報と、予め設定された選択条件とに基づいて、前記複数の第２処理対象データの中から少なくとも１つの該第２処理対象データを選択する選択部として、該コンピュータを機能させることを特徴とする、選択プログラムを記録したコンピュータ読取可能な記録媒体。
【発明の詳細な説明】
【技術分野】
【０００１】
本発明は、複数のデータの中からの特定データの選択に用いて好適であり、例えば静止画像や動画像の表示ととともに再生する音楽データの選択を行なう技術に関する。
【背景技術】
【０００２】
近年、画像表示ソフトウェアや、プレゼンテーションソフトウェアにおいて、複数の静止画像や動画像を順次切り替えて再生するスライドショーと呼ばれる機能をそなえるものが知られている。なお、以下、静止画像や動画像を単に画像データと称する場合もある。
また、このスライドショーにおいては、画像の表示を行なうとともに、ＢＧＭ（Back Ground Music）として曲（音楽データ）の再生を行なうことができるものもある。
【０００３】
さて、このようなスライドショー時に再生される音楽データの従来の選択手法としては、例えば、以下の（１）〜（３）に示すような手法が知られている。
（１）事前にＰＣ（Personal Computer）内に保存されている複数の音楽データから、ＢＧＭとして再生する音楽データを利用者が手動で選曲して再生し、音楽データが再生されている間にスライドショーを開始する。
【０００４】
（２）事前に画像データと音楽データとを関連付けておき、画像データの再生を行なう際に、この関連付けられた音楽データの再生を行なう（下記特許文献１，２参照）。
（３）スライドショーが実行されている間に、ＢＧＭとする音楽データを利用者が手動で選択して再生する。
【特許文献１】特開平９−２２４１６号公報
【特許文献２】特開平８−１０１９０７号公報
【発明の開示】
【発明が解決しようとする課題】
【０００５】
しかしながら、上述の如き従来の音楽データの選択手法において、例えば、（１），（３）の手法では、再生する音楽データを利用者が選択操作を行なう必要があり繁雑である。特に、音楽データが多数ある場合には、これらの多数の音楽データの中から特定の音楽データを選択するのは繁雑であり、結果的に毎回同じ楽曲の音楽データを選択してしまうことも多く、娯楽性に欠けるという課題もある。
【０００６】
また、上記（２）の手法では、画像データと音楽データとの関連付け作業のために多くの操作が要求され繁雑であるという課題がある。又、例えば、新たな音楽データが追加された場合に、この新しい音楽データを画像データとともに再生させるためには、関連付け作業を改めて行なう必要があり利便性が低い。
本発明は、このような課題に鑑み創案されたもので、複数の処理対象データの中から少なくとも１つの処理対象データを容易に選択することができ、娯楽性を高めることができるようにすることを目的とする。
【課題を解決するための手段】
【０００７】
このため、本発明のデータ処理装置は、第１処理対象データに関する第１付加情報を取得する第１付加情報取得部と、該第１処理対象データに関連して処理が行なわれる第２処理対象データに関する第２付加情報を取得する第２付加情報取得部と、該第１付加情報および該第２付加情報と、予め設定された選択条件とに基づいて、前記複数の第２処理対象データの中から少なくとも１つの該第２処理対象データを選択する選択部とをそなえることを特徴としている。
【０００８】
なお、該選択部が、該第１付加情報に基づいて該選択条件を参照することにより、前記複数の第２処理対象データの中から、該選択条件を満たす２以上の該第２処理対象データを選択する第１選択部と、該第１選択部によって選択された前記２以上の第２処理対象データの中から、１の該第２処理対象データを選択する第２選択部とをそなえてもよく、又、該選択条件を設定可能な選択条件設定部をそなえてもよい。
【０００９】
また、該第１付加情報が該第１処理対象データに関する日時情報であるとともに第２付加情報が該第２処理対象データに関する日時情報であり、該選択条件が、該第１付加情報と該第２付加情報との間において、少なくとも日時，月，季節のいずれかに関して特定の関連性を有することであってもよい。
さらに、該第２処理対象データが音楽データであってもよく、又、該第１処理対象データが画像データであってもよい。
【００１０】
また、該第１付加情報が該第１処理対象データに関する地域情報であるとともに第２付加情報が該第２処理対象データに関する地域情報であり、該選択条件が、該第１付加情報と該第２付加情報との間において、地域に関して特定の関連性を有することであってもよい。
さらに、本発明の情報処理システムは、第１処理対象データに関する第１付加情報を取得する付加情報取得部と、該第１処理対象データに関連して処理が行なわれる第２処理対象データを複数格納する第２処理対象データ格納部と、該第２処理対象データに関する第２付加情報を取得する第２付加情報取得部と、該第２処理対象データ格納部に格納された前記複数の第２処理対象データの中から、少なくとも１つの該第２処理対象データを選択するための選択条件を格納する選択条件格納部と、該第１付加情報および該第２付加情報と、予め設定された選択条件とに基づいて、前記複数の第２処理対象データの中から少なくとも１つの該第２処理対象データを選択する選択部とをそなえることを特徴としている。
【００１１】
また、本発明の選択プログラムは、第１処理対象データに関連して処理が行なわれる複数の第２処理対象データの中から、少なくとも１つの該第２処理対象データを選択する選択機能をコンピュータに実行させるための選択プログラムであって、該第１処理対象データに関する第１付加情報を取得する第１付加情報取得部と、該第２処理対象データに関する第２付加情報を取得する第２付加情報取得部と、該第１付加情報および該第２付加情報と、予め設定された選択条件とに基づいて、前記複数の第２処理対象データの中から少なくとも１つの該第２処理対象データを選択する選択部として、該コンピュータを機能させることを特徴としている。
【００１２】
そして、本発明のコンピュータ読取可能な記録媒体は、上述した選択プログラムを記録したものである。
【発明の効果】
【００１３】
以上詳述したように、本発明によれば、以下の効果ないし利点が得られる。
（１）第１処理対象データに関連して処理が行なわれる第２処理対象データついて、複数の第２処理対象データの中から第１処理対象データに最適と思われるものを選択することができ、利便性が高く且つ娯楽性も高い。
（２）選択条件を設定することができ、利便性が高い。
【００１４】
（３）第１処理対象データに関して、少なくとも日時，月，季節のいずれかに関して特定の関連性を有する第２処理対象データを容易に選択することができる。
（４）第１処理対象データに対して、地域に関して特定の関連性を有する第２処理対象データを容易に選択することができる。
【発明を実施するための最良の形態】
【００１５】
以下、図面を参照して本発明の実施の形態を説明する。
図１は本発明の一実施形態としての選択システムの構成を示すブロック図であり、本選択システム（情報処理システム，データ処理装置）１は、図１に示すように、表示装置３１，音声再生装置３２，入力装置３３，ＣＰＵ（Central Processing Unit）１０，記憶装置２１を有する一般的なパーソナルコンピュータ等によって実現される。
【００１６】
その際、後述する、制御部１１，出力部１２，選曲部（選択部）１３，選曲ルール設定部（選択条件設定部）１４，画像情報抽出部（第１付加情報取得部）１５および音楽情報抽出部（第２付加情報取得部）１６としての機能が、所定のプログラム（選択プログラム）をＣＰＵ１０で実行することにより実現される。
このパーソナルコンピュータ（選択システム１）においては、複数の画像データ（第１処理対象データ）を順次切り替えて表示装置３１に表示させるスライドショー機能をそなえ、更に、このスライドショー機能の実行中に、音楽データ（第２処理対象データ）をＢＧＭ（Background Music）として再生することができるようになっている。
【００１７】
そして、本選択システム１は、このように画像データを表示させる際に再生する音楽データを自動的に選択するものである。
表示装置３１は、静止画像や動画像等の画像データやテキスト情報等、種々の情報を表示するものであって、例えば、ＬＣＤ（liquid crystal display）やＣＲＴ（cathode-ray tube）ディスプレイ等によって構成され、後述する出力部１２によって制御されるようになっている。
【００１８】
音声再生装置３２は、音楽データを再生して種々の音を出力するものであり、例えばスピーカユニットによって構成され、出力部１２によって制御されるようになっている。入力装置３３は、オペレータが種々の入力操作を行なうものであり、マウスやキーボード等によって構成されている。なお、本実施形態においては、音楽データ２０１には音声データを含むものとし、更に、音楽や音声以外の種々の音に関するデータを含むものとする。
【００１９】
記憶装置２１は、種々の情報を格納するものであって、例えば、ハードディスクやメモリによって構成されている。そして、本選択システム１においては、記憶装置２１に、画像データ１０１，画像情報１０２，音楽データ２０１，音楽情報２０２および選曲ルール（選曲条件）３０１が格納されるようになっている。
図２は本発明の一実施形態としての選択システム１の記憶装置２１に格納される情報を説明するための図であり、図２（ａ）は画像データ群の例を示す図、図２（ｂ）は音楽データ群の例を示す図、図２（ｃ）は画像データ使用項目の例を示す図、図２（ｄ）は音楽データ使用項目の例を示す図である。
【００２０】
図２（ａ）に示すように、記憶装置２１には、複数（図２（ａ）に示す例では８個）の画像データ１０１ａ，１０１ｂ，１０１ｃ，１０１ｄ，１０１ｅ，１０１ｆ，１０１ｇ，１０１ｈからなる画像データ群１００が格納されるようになっている。なお、以下、画像データを示す符号としては、複数の画像データのうち１つを特定する必要があるときには符号１０１ａ〜１０１ｈを用いるが、任意の画像データを指すときには符号１０１を用いる。
【００２１】
画像データ１０１は、Ｅｘｉｆ（Exchangeable Image File Format）等の規格に従って形成され、画像とともにその画像に関する付加情報（画像情報，第１付加情報）が記録されるようになっている。なお、この画像データ１０１の付加情報としては種々の情報を記録することができるようになっており、図２（ａ）に示す例においては、撮影日時，作成日時および取得日時が付加情報として記録されるようになっている。
【００２２】
ここで、撮影日時はその画像が撮影された日時であり、その画像がカメラ等で撮影されたものである場合に用いられる。作成日時はその画像が作成された日時であり、画像処理ソフトウェア等によって作成・加工された場合等に用いられる。取得日時はその画像が取得された日時であり、例えば、インターネットを経由してダウンロード等の手段で取得した場合や、電子メール等の通信手段によって受信した場合等に用いられる。
【００２３】
また、画像データ１０１についての画像情報としては、上述した各種情報の他に、ユーザ（オペレータ等）が任意の情報を付加・追加・編集することができるようになっている。
また、図２（ｂ）に示すように、記憶装置２１には、複数（図２（ｂ）に示す例では５個）の音楽データ２０１ａ，２０１ｂ，２０１ｃ，２０１ｄ，２０１ｅからなる音楽データ群２００が格納されるようになっている。なお、以下、音楽データを示す符号としては、複数の音楽データのうち１つを特定する必要があるときには符号２０１ａ〜２０１ｅを用いるが、任意の音楽データを指すときには符号２０１を用いる。
【００２４】
音楽データ２０１は、ＭＰ３（MPEG Audio Layer-3）等の規格に従って形成され、音楽（曲）とともにその曲に関する付加情報を記録そなえている。なお、この音楽データ２０１にそなえられる付加情報としては種々の情報を記録することができるようになっており、図２（ｂ）に示す例においては、発売日および取得日が付加情報として記録されるようになっている。
【００２５】
ここで、発売日はその曲が発売された日時であり、その曲が販売されたものである場合に用いられる。取得日はその曲が取得された日であり、例えば、インターネットを経由してダウンロード等の手段で取得した場合等に用いられる。
例えば、音楽データがＭＰ３の規格で作成されたものである場合には、ID3v1やID3v2等のＩＤタグの情報として付加情報を付加することができる。
【００２６】
また、音楽データ２０１についての音楽情報としても、上述した各種情報の他に、ユーザ（オペレータ等）が任意の情報を付加・追加・編集することができるようになっている。
さらに、上述した画像データ１０１に関する付加情報のそれぞれについて、音楽データ２０１の選択に際して、その付加情報を用いるか否かを任意に設定することができるようになっている。図２（ｃ）は画像データ１０１に関する付加情報のそれぞれについて使用・不使用の設定例を示す図（画像データ時間項目）であって、この図２（ｃ）に示す例においては、撮影日時のみを使用し、作成日時や取得日時について用いない旨が設定されている。
【００２７】
そして、後述する選曲部１３は、この図２（ｃ）に示す画像データ時間項目を参照して、「使用」が設定されている項目（図２（ｃ）に示す例では撮影日時）を参照して、音楽データ２０１の選択を行なう。
同様に、音楽データ２０１に関する付加情報のそれぞれについても、音楽データ２０１の選択に際して、その付加情報を用いるか否かを任意に設定することができるようになっている。図２（ｄ）は音楽データ２０１に関する付加情報のそれぞれについて使用・不使用の設定例を示す図（音楽データ時間項目）であって、この図２（ｄ）に示す例においては、取得日時のみを使用し、発売日について用いない旨が設定されている。
【００２８】
そして、後述する選曲部１３は、この図２（ｄ）に示す音楽データ時間項目を参照して、「使用」が設定されている項目（図２（ｄ）に示す例では取得日）を参照して、音楽データ２０１の選択を行なう。なお、上述した付加情報のそれぞれについて使用・不使用の設定情報（画像データ時間項目，音楽データ時間項目）も、選曲ルール３０１の一部として記憶装置２１に格納されるようになっており、選曲部１３は、音楽データ２０１の選択に際して、これらの情報を参照するようになっている。
【００２９】
画像情報抽出部（第１付加情報取得部）１５は、記憶装置２１に格納された画像データ１０１から付加情報（撮影日時，作成日時，取得日時）を取得（抽出）するものであって、抽出した付加情報を画像情報１０２として、各画像データ１０１に対応させて記憶装置２１に格納するようになっている。そして、この記憶装置２１に格納された画像情報１０２は、選曲部１３が参照することができるようになっている。
【００３０】
音楽情報抽出部（第２付加情報取得部）１６は、記憶装置２１に格納された音楽データ２０１から付加情報（発売日，取得日）を取得（抽出）するものであって、抽出した付加情報を音楽情報２０２として、各音楽データ２０１に対応させて記憶装置２１に格納するようになっている。そして、この記憶装置２１に格納された音楽情報２０２は、選曲部１３が参照することができるようになっている。
【００３１】
選曲ルール設定部（選択条件設定部，選択条件変更部）１４は、選曲ルール（選択条件）３０１を設定したり、既に作成されている選択条件を変更したりするものであり、この選曲ルール設定部１４により、画像と音楽とを組み合わせるためのルール、すなわち、画像の表示とともに再生するための音楽を、複数の音楽データの中から選択するための選択条件を、利用者が設定・変更することができるようになっている。
【００３２】
図３は本発明の一実施形態としての選択システム１における選曲ルール設定画面３１１の例を示す図であり、選曲ルール設定部１４は、この図３に示すような選曲ルール設定画面３１１を表示装置３１に表示させて、利用者に対して選曲ルール３０１を設定するための各種入力（選択）を行なわせるようになっている。そして、選曲ルール設定部１４は、利用者がこの選曲ルール設定画面３１１において行なった入力（設定）に従って、選曲ルール３０１を設定するようになっている。
【００３３】
例えば、本実施形態においては、画像と音楽とのそれぞれについて、使用する日時情報の優先順位を設定できるようになっている。具体的には、画像について、撮影日時，作成日時，取得日時およびファイル日時の４種類の項目（日付）について、選曲を行なうために使用する優先順位を設定することができるようになっており、音楽について、録音日時，購入日時，発売日時およびファイル日時の４種類の項目（日付）に対して、選曲を行なうために使用する優先順位を設定することができるようになっている。
【００３４】
この図３に示す例においては、画像について、撮影日時，作成日時，取得日時，ファイル日時の順番で日付情報を優先的に使用するように設定がされており、音楽について、録音日時，購入日時，発売日時，ファイル日時の順番で日付情報を優先的に使用するように設定がされている。
なお、ファイル日時は、その画像データ１０１や音楽データ２０１が記憶装置２１に保存（ファイル）された日時であり、例えば、ＯＳ（Operating System）によって作成・管理されるファイル情報に含まれる。なお、図２に示した画像データ１０１や音楽データ２０１の例においては、このファイル日時は示されていないが、画像データ１０１や音楽データ２０１においてファイル日時を含んでもよい。
【００３５】
これらの優先順位の設定は、オペレータが、マウスやキーボード（矢印キー，選択キー，メニューキー等）を用いて優先順位を設定・変更したい項目を選択して行なう。
また、本実施形態においては、使用する選曲ルール（選曲条件）３０１についても、優先順位をとして、「同じ月の組み合わせ」，「同じ季節の組み合わせ」および「一番近い日時の組み合わせ」の３種類の条件に対して、選曲を行なうために使用する優先順位を設定することができるようになっている。なお、図３に示す例においては、「同じ月の組み合わせ」，「同じ季節の組み合わせ」，「一番近い日時の組み合わせ」順番で選曲条件を優先的に適用するように設定がされている。
【００３６】
なお、本実施形態においては、３〜５月を春、６〜８月を夏、９月〜１１月を秋、１２月〜２月を冬として季節（四季）を設定しており、これらの設定に基づいて「同じ季節」が判定されるようになっている。なお、これらの月と季節との対応は、これに限定されるものものではなく、地域差等に応じて種々変形して実施することができる。
また、本実施形態においては、図３に示すように、選曲の幅として、選曲を行なう際に、上述した選曲条件に最も合う音楽データ２０１を選択する（図３中の「選曲条件に最も合うものをいつも選ぶ」参照）ことと、選曲条件に幅を持って選ぶことにより２以上の音楽データ２０１を選択すること（図３中の「選曲条件に幅をもって選ぶ」参照）とを選択することができるようになっている。
【００３７】
選曲部（選択部，第１選択部，第２選択部）１３は、画像情報抽出部１５によって抽出された画像情報１０２と、音楽情報抽出部１６によって抽出された音楽情報２０２と、選曲ルール設定部１４によって設定された選曲ルール３０１とに基づいて、選曲ルール３０１に合う音楽データ２０１を少なくとも１つ選択するものである。
具体的には、選曲部（第１選択部）１３は、画像情報１０２に基づいて選曲ルール３０１を参照することにより、複数の音楽データ２０１の中から、選曲ルールを満たす２以上の音楽データ２０１を選択するようになっており（第１選択部）、更に、これらの選択された２以上の音楽データ２０１の中から、１の音楽データ２０１を選択するようになっている（第２選択部）。
【００３８】
そして、選曲部（第２選択部）１３は、２以上の音楽データ２０１の中から、例えば乱数を用いて１の音楽データ２０１を選択してもよく、これにより、音楽データ２０１の選択にランダム性を加味することにより娯楽性を持たせることができる。
また、選曲部（第２選択部）１３は、これらの音楽データ２０１の処理履歴に基づいて、２以上の音楽データ２０１の中から１の音楽データ２０１を選択してもよい。例えば、過去最も多く再生された音楽データ２０１を選択したり、その逆に最も再生回数が少ない音楽データ２０１を選択してもよく、又、最後に再生された音楽データ２０１を選択したり、その逆に最後に再生してからの時間が最も長い音楽データ２０１を選択してもよい。
【００３９】
なお、本選択システム１において、表示対象の画像データ１０１が複数あり、且つ、これらの複数の画像データ１０１において、撮影や取得された日が異なる等、画像情報に相違がある場合には、制御部１１が、これらの画像データ１０１の中から代表データを選択・抽出し、選曲部１３は、この代表データの画像情報を用いて選択ルール３０１を参照して選択処理を行なう。
【００４０】
代表データとしては、例えば、画像データ群１００における日付情報が最も古い画像データ１０１や、日付情報が最も新しい画像データ１０１，ランダムに抽出した一の画像データ１０１を用いてもよい。
また、代表データの選択・抽出に代えて、複数の画像データ１０１について、画像情報の平均値を算出して、この平均値の画像情報を用いて選択ルール３０１を参照して選択処理を行なったり、又、最頻出値の画像情報を用いて選択ルール３０１を参照して選択処理を行なったりしてもよく、本発明の趣旨を逸脱しない範囲で種々変形して実施することができる。
【００４１】
出力（表示／再生）部１２は、表示装置３１や音声再生装置３２を制御して、画像データ１０１を表示装置３１へ表示させたり、音楽データ２０１を音声再生装置３２に再生させたりするものであり、本実施形態においては、選曲部１３によって音楽データ２０１の選択が行なわれた場合には、この選択された音楽データ２０１を音声再生装置３２に表示させるようになっている。
【００４２】
制御部１１は、出力部１２，選曲部１３，選曲ルール設定部１４，画像情報抽出部１５，音楽情報抽出部１６の制御を行なうものであり、入力装置３３からオペレータによって行なわれた種々の入力操作等に基づいて、本選択システム１における種々の制御を行なうようになっている。
上述の如く構成された本発明の一実施形態としての選択システム１においては、先ず、画像データ１０１や音楽データ２０１の登録を行なう。すなわち、表示装置３１に表示させる画像データ１０１について、画像情報抽出部１５が、その画像データ１０１に基づいて撮影日時や作成日時，取得日時，ファイル日時等の付加情報を抽出して、記憶装置２１に画像情報１０２として格納する。又、音声再生装置３２から再生可能な音楽データ２０１について、音楽情報抽出部１６が、その音楽データ２０１に基づいて、その曲の発売日や取得日，ファイル日時等の付加情報を抽出して、音楽情報２０２として記憶装置２１に格納する。
【００４３】
また、オペレータは、選曲ルール設定部１４が表示装置３１に表示させる選曲ルール設定画面において、種々の入力・選択を行なうことにより選曲ルールの設定を行なう。
なお、これらの画像情報１０２や音楽情報２０２の抽出・格納処理や、選曲ルールの設定処理は、予め行なってもよく、又、音楽データ２０１の選択を行なう際に随時行なってもよい。
【００４４】
次に、本発明の一実施形態としての選択システム１における音楽データ２０１の選択処理を、図４に示すフローチャート（ステップＡ１０〜Ａ３０）に従って説明する。
オペレータが、入力装置３３等を介して、ＢＧＭの再生を伴う画像データ１０１（画像データ群１００）の表示指示を行なうと（ステップＡ１０）、選曲部１３は、記憶装置２１に格納されている選曲ルール３０１を参照して、この選曲ルール３０１に従って、画像情報１０２と音楽情報２０２とを比較／評価して、表示対象の画像データ１０１に合う音楽データ２０１を選択する（ステップＡ２０）。
【００４５】
なお、ここで、選曲条件に幅を持って選ぶ場合、すなわち、選曲ルールに最近傍一致を用いる場合には、複数の音楽データ２０１が選曲され、選曲部１３は、これらの複数の音楽データ２０１の中から、更に、乱数や再生履歴などに基づいて一の音楽データ２０１を選択する。
出力部１２は、画像データ１０１を表示装置３１に順次表示させるとともに、音声再生装置３２に、選択された音楽データ２０１を再生させる（ステップＡ３０）。
【００４６】
このように、本発明の一実施形態としての選択システム１においては、複数の画像データ１０１について、それらの撮影日時や作成日時，取得日時等の画像情報（時間情報）と、ＢＧＭとして再生し得る音楽データ２０１の発売日や購入日，取得日，機器への取り込み日，再生履歴等の音楽情報（時間情報）との間で比較を行ない、これらの情報と選曲ルール３０１とに基づいて最適な音楽データ２０１を選択（選曲）することができる。
【００４７】
例えば、１０月に撮影した画像データ１０１を表示装置３１に表示させる際に、同じ１０月に発売等された曲や、同じ季節（秋）に発売等された曲，近い日時に発売等された音楽データ２０１を自動的に選択して再生させることにより、画像の表示時にその画像に最適と思われる曲を再生させることができ、利便性が高く、且つ、娯楽性も高い。本選択システム１においては、画像データ１０１関連がある音楽データ２０１が選曲部１３によって選択されるので、オペレータにとって娯楽性が高いのである。
【００４８】
また、複数の音楽データ２０１（音楽データ群２００）の中から自動的に音楽データ２０１を選択することができるので、オペレータが繁雑な選択操作を行なう必要がなく、利便性が高い。
また、この際、選曲部１３が、画像情報１０２，音楽情報２０２および選曲ルール３０１に基づいて、記憶装置２１に格納された音楽データ２０１の中から、再生を行なう音楽データを自動的に選択するので、例えば、新しい曲を取得した場合に、この曲の音楽データ２０１について音楽情報抽出部１６が付加情報を抽出して音楽情報２０２として記憶装置２１に格納することにより、自動的にＢＧＭとしての選曲の対象となるので利便性が高い。
【００４９】
さらに、選曲条件に幅を持って選ぶ場合、すなわち、選曲ルールに最近傍一致を用いる場合には、選曲部１３は、一旦選択された複数の音楽データ２０１の中から、更に乱数を用いて一の音楽データ２０１を選択することにより、同じ画像データ群１００を何回も表示させるような場合においても、その都度、同じ曲が選択されることがなく、これによっても娯楽性が高い。
【００５０】
すなわち、本選択システム１によれば、コンピュータやＡＶ（Audio and Visual）家電の娯楽性や操作性が高まり、利用者の増大や、より一層のコンピュータや家電の普及に貢献することができる。
また、画像データ１０１に関して、少なくとも日時，月，季節のいずれかに関して特定の関連性を有する音楽データ２０１を容易に選択することができる。
【００５１】
なお、上述した、選曲部（選択部１３），選曲ルール設定部１４，画像情報抽出部（第１付加情報取得部）１５および音楽情報抽出部（第２付加情報取得部）１６としての機能を実現するためのプログラム（選択プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ−ＲＷ，ＤＶＤ＋ＲＷ等），磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００５２】
選曲部（選択部）１３，選局ルール設定部１４，画像情報抽出部（第１付加情報取得部）１５および音楽情報抽出部（第２付加情報取得部）１６としての機能を実現する際には、内部記憶装置（ＲＡＭやＲＯＭ等）に格納されたプログラムがコンピュータのマイクロプロセッサ（本実施形態ではパーソナルコンピュータのＣＰＵ）によって実行される。このとき、記録媒体に記録されたプログラムをコンピュータが読み取って実行するようにしてもよい。
【００５３】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、選択システム１がコンピュータとしての機能を有しているのである。
【００５４】
さらに、本実施形態における記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【００５５】
また、本選択システム１は、例えば、前述したスライドショーを作成する際に、ＢＧＭとして再生する音楽データ２０１の選択にも応用できるため、ＡＶ編集・作成装置での操作性を向上させることができる。
そして、本発明は上述した実施形態に限定されるものではなく、本発明の趣旨を逸脱しない範囲で種々変形して実施することができる。
【００５６】
例えば、画像データ１０１に関する付加情報は、上述した撮影日時，作成日時および取得日時に限定されるものではなく、例えば、最後に使用（閲覧）した日時（最終使用日時）を用いてもよく、本発明の趣旨を逸脱しない範囲で種々変形して実施することができる。更に、付加情報は上述の如き日時情報に限定されるものではなく、例えば、その画像を撮影（作成，取得）した人を示す情報や、その画像が撮影（作成，取得）された場所（地域情報）であってもよい。
【００５７】
そして、このような地域情報には、例えば、ＧＰＳ（global positioning system）機能を用いて取得した位置情報を用いることができる。近年においては、例えば、携帯電話やＰＤＡ（Personal Digital Assistants），ノートパソコンのような、ＧＰＳ機能とデジタルカメラをそなえた情報処理装置が知られており、このような機器を用いることにより、画像データに付加情報として地域情報を付加することを容易に実現することができる。
【００５８】
これにより、画像データ１０１に対して、地域に関して特定の関連性を有する音楽データ２０１を容易に選択することができる。
また、音楽データ２０１に関する付加情報は、上述した発売日や取得日に限定されるものではなく、本発明の趣旨を逸脱しない範囲で種々変形して実施することができる。例えば、最後に使用（再生）した日時（最終使用日時）や再生回数を用いてもよく、これにより、オペレータが好んで頻繁に再生した曲を優先的に選択させることができる。
【００５９】
また、付加情報は上述の如き日時情報に限定されるものではなく、例えば、その曲を作成（作詞，作曲）した人（アーティスト）や取得した人を示す情報や演奏者に関する情報、その曲が発売，作成，録音，取得された場所（地域情報）や、アルバム名，ジャンル名であってもよい。
さらに、画像データ１０１はＥｘｉｆの規格に従って作成されたものに限定されるものではなく、同様に、音楽データ２０１はＭＰ３の規格に従って作成されたものに限定されるものではなく、これらの画像データ１０１や音楽データ２０１には種々の規格に従って作成されたものを用いることができる。
【００６０】
また、付加情報は、必ずしも画像データ１０１や音楽データ２０１にそなえられる必要はなく、画像データ１０１や音楽データ２０１の外部から取得してもよい。例えば、各画像データ１０１や音楽データ２０１に対して付加情報を対応させてデータベースを作成し、画像情報抽出部１５や音楽情報抽出部１６が、このデータベースから各付加情報を取得してもよい。このようなデータベースは、利用者等が作成してもよく、又、ＣＤＤＢ（Compact Disc Data Base）サービスとしてインターネット上に公開されている商用／非商用のデータベースサービスもしくはこれに類するサービスを用いてもよい。
【００６１】
なお、上述した実施形態においては、画像データ１０１の表示時に再生する音楽データ２０１を選択しているが、これに限定されるものではなく、画像データ１０１に音楽データ２０１を組み合わせることにより構成されるデータを作成する場合に、画像データ１０１に組み合わせる音楽データ２０１を選択する際にも用いることができる。
また、上述した実施形態においては、記憶装置２１に、選曲ルール３０１，画像データ１０１，画像情報１０２，音楽データ２０１および音楽情報２０２を格納しているが、これに限定されるものではなく、これらの選曲ルール３０１，画像データ１０１，画像情報１０２，音楽データ２０１および音楽情報２０２のうち、少なくとも一部を他の記憶装置に格納してもよく、更に、これらの記憶装置が、LAN（Local Area Network）等の通信回線を介して接続された他のコンピュータ上にそなえられていてもよい。
【００６２】
本選択システム１は、例えば、パーソナルコンピュータ用のＡＶ視聴ソフトウェア，編集・作成ソフトウェアに適用することができる。又、その他、ＡＶ家電ファームウェアやソフトウェア，キオスク端末におけるＢＧＭの自動作成、広告等の業務用装置におけるＢＧＭの自動作成等に適用することができる。
さらに、本選択システム１は、画像データ１０１の表示時に再生する音楽データ２０１の選択に限定されるものではなく、特定のデータ（第１処理対象データ）に関連付けて処理を行なう種々のデータ（第２処理対象データ）の選択に用いることができる。例えば、パーソナルコンピュータにおいて、ワープロソフトで作成された文書データ（第１処理対象データ）に表計算ソフトのデータ（第２処理対象データ）や画像データ（第２処理対象データ）等を組み合わせる場合に、これらの表計算ソフトのデータや画像データの選択等にも適用することができるのである。
【００６３】
なお、本発明の実施形態が開示されていれば、本発明を当業者によって実施・製造することが可能である。
そして、本発明は、以下に示すように要約することができる。
（付記１）  第１処理対象データに関する第１付加情報を取得する第１付加情報取得部と、
該第１処理対象データに関連して処理が行なわれる第２処理対象データに関する第２付加情報を取得する第２付加情報取得部と、
該第１付加情報および該第２付加情報と、予め設定された選択条件とに基づいて、前記複数の第２処理対象データの中から少なくとも１つの該第２処理対象データを選択する選択部とをそなえることを特徴とする、データ処理装置。
【００６４】
（付記２）  該選択部が、
該第１付加情報に基づいて該選択条件を参照することにより、前記複数の第２処理対象データの中から、該選択条件を満たす２以上の該第２処理対象データを選択する第１選択部と、
該第１選択部によって選択された前記２以上の第２処理対象データの中から、１の該第２処理対象データを選択する第２選択部とをそなえることを特徴とする、付記１記載のデータ処理装置。
【００６５】
（付記３）  該第２選択部が、当該第２処理対象データの処理履歴に基づいて、前記２以上の該第２処理対象データの中から、前記１の第２処理対象データを選択することを特徴とする、付記２記載のデータ処理装置。
（付記４）  該第２選択部が、乱数を用いて、前記複数の該第２処理対象データの中から、前記１の第２処理対象データを選択することを特徴とする、付記２記載のデータ処理装置。
【００６６】
（付記５）  該選択条件を設定可能な選択条件設定部をそなえることを特徴とする、付記１〜付記４のいずれか１項に記載のデータ処理装置。
（付記６）  該第１付加情報が該第１処理対象データに関する日時情報であるとともに第２付加情報が該第２処理対象データに関する日時情報であり、
該選択条件が、該第１付加情報と該第２付加情報との間において、少なくとも日時，月，季節のいずれかに関して特定の関連性を有することであることを特徴とする、付記１〜付記５のいずれか１項に記載のデータ処理装置。
【００６７】
（付記７）  該第２処理対象データが音楽データであることを特徴とする、付記１〜付記６のいずれか１項に記載のデータ処理装置。
（付記８）  該付加情報が、該音楽データの録音日時に関する情報であることを特徴とする、付記７記載のデータ処理装置。
（付記９）  該付加情報が、該音楽データの発売日時に関する情報であることを特徴とする、付記７又は付記８記載のデータ処理装置。
【００６８】
（付記１０）  該付加情報が、該音楽データの購入日時に関する情報であることを特徴とする、付記７〜付記９記載のいずれか１項に記載のデータ処理装置。
（付記１１）  該付加情報が、該音楽データの保存日時に関する情報であることを特徴とする、付記７〜付記１０のいずれか１項に記載のデータ処理装置。
（付記１２）  該付加情報が、該音楽データの再生履歴に関する情報であることを特徴とする、付記７〜付記１１のいずれか１項に記載のデータ処理装置。
【００６９】
（付記１３）  該第１処理対象データが画像データであることを特徴とする、付記１〜付記１２のいずれか１項に記載のデータ処理装置。
（付記１４）  該付加情報が、該画像データの撮影日時に関する情報であることを特徴とする、付記１３記載のデータ処理装置。
（付記１５）  該付加情報が、該画像データの作成日時に関する情報であることを特徴とする、付記１３又は付記１４記載のデータ処理装置。
【００７０】
（付記１６）  該付加情報が、該画像データの取得日時に関する情報であることを特徴とする、付記１３〜付記１５のいずれか１項に記載のデータ処理装置。
（付記１７）  該付加情報が、該画像データの保存日時に関する情報であることを特徴とする、付記１３〜付記１６のいずれか１項に記載のデータ処理装置。
（付記１８）該第１付加情報が該第１処理対象データに関する地域情報であるとともに第２付加情報が該第２処理対象データに関する地域情報であり、
該選択条件が、該第１付加情報と該第２付加情報との間において、地域に関して特定の関連性を有することであることを特徴とする、付記１〜付記１７のいずれか１項に記載のデータ処理装置。
【００７１】
（付記１９）  該第２処理対象データが音楽データであり、該付加情報が少なくとも該音楽データの録音地域，発売地域，購入地域，保存地域および再生地域のうちいずれかに関する情報であることを特徴とする、付記１８記載のデータ処理装置。
（付記２０）  該第１処理対象データが画像データであり、該付加情報が該画像データの撮影地域，作成地域，取得地域および保存地域のうちのいずれかに関する情報であることを特徴とする、付記１８又は付記１９記載のデータ処理装置。
【００７２】
（付記２１）  第１処理対象データに関する第１付加情報を取得する付加情報取得部と、
該第１処理対象データに関連して処理が行なわれる第２処理対象データを複数格納する第２処理対象データ格納部と、
該第２処理対象データに関する第２付加情報を取得する第２付加情報取得部と、
該第２処理対象データ格納部に格納された前記複数の第２処理対象データの中から、少なくとも１つの該第２処理対象データを選択するための選択条件を格納する選択条件格納部と、
該第１付加情報および該第２付加情報と、予め設定された選択条件とに基づいて、前記複数の第２処理対象データの中から少なくとも１つの該第２処理対象データを選択する選択部とをそなえることを特徴とする、情報処理システム。
【００７３】
（付記２２）  第１処理対象データに関連して処理が行なわれる複数の第２処理対象データの中から、少なくとも１つの該第２処理対象データを選択する選択機能をコンピュータに実行させるための選択プログラムであって、
該第１処理対象データに関する第１付加情報を取得する第１付加情報取得部と、
該第２処理対象データに関する第２付加情報を取得する第２付加情報取得部と、
該第１付加情報および該第２付加情報と、予め設定された選択条件とに基づいて、前記複数の第２処理対象データの中から少なくとも１つの該第２処理対象データを選択する選択部として、該コンピュータを機能させることを特徴とする、選択プログラム。
【００７４】
（付記２３）  第１処理対象データに関連して処理が行なわれる複数の第２処理対象データの中から、少なくとも１つの該第２処理対象データを選択する選択機能をコンピュータに実行させるための選択プログラムを記録したコンピュータ読取可能な記録媒体であって、
該選択プログラムが、
該第１処理対象データに関する第１付加情報を取得する第１付加情報取得部と、
該第２処理対象データに関する第２付加情報を取得する第２付加情報取得部と、
該第１付加情報および該第２付加情報と、予め設定された選択条件とに基づいて、前記複数の第２処理対象データの中から少なくとも１つの該第２処理対象データを選択する選択部として、該コンピュータを機能させることを特徴とする、選択プログラムを記録したコンピュータ読取可能な記録媒体。
【産業上の利用可能性】
【００７５】
画像データの表示時に再生する音楽データの選択の他、例えば、パーソナルコンピュータにおいて、ワープロソフトで作成された文書データに対して、表計算ソフトのデータや画像データ等を組み合わせる場合に、これらのデータを選択する場合等、特定のデータに関連付けて処理を行なわれる種々のデータを選択する用途にも適用できる。
【図面の簡単な説明】
【００７６】
【図１】本発明の一実施形態としての選択システムの構成を示すブロック図である。
【図２】（ａ），（ｂ），（ｃ），（ｄ）は本発明の一実施形態としての選択システムの記憶装置に格納される情報を説明するための図である。
【図３】本発明の一実施形態としての選択システムにおける選曲ルール設定画面の例を示す図である。
【図４】本発明の一実施形態としての選択システムにおける音楽データの選択処理を説明するためのフローチャートである。
【符号の説明】
【００７７】
１    選択システム（情報処理システム，データ処理装置）
１０    ＣＰＵ
１１    制御部
１２    出力部
１３    選曲部（選択部）
１４    選曲ルール設定部（選択条件設定部）
１５    画像情報抽出部（第１付加情報取得部）
１６    音楽情報抽出部（第２付加情報取得部）
２１    記憶装置
３１    表示装置
３２    音声再生装置
３３    入力装置
１０１，１０１ａ，１０１ｂ，１０１ｃ，１０１ｄ，１０１ｅ，１０１ｆ，１０１ｇ，１０１ｈ    画像データ（第１処理対象データ）
１０２    画像情報（第１付加情報）
２０１，２０１ａ，２０１ｂ，２０１ｃ，２０１ｄ，２０１ｅ    音楽データ（第２処理対象データ）
２０２    音楽情報（第２付加情報）
３０１    選曲ルール（選択条件）
３１１    選曲ルール設定画面
【図１】
2006134146.tif 000003
【図２】
2006134146.tif 000004
【図３】
2006134146.tif 000005
【図４】
2006134146.tif 000006